(57)【要約】【課題】チルト操作時における衝撃を防止することができるとともに、良好な操作性を有する倒立顕微鏡を提供する。【解決手段】透過照明支柱を回動可能に支持する支持手段と、透過照明支柱の回動中心軸より下方で透過照明支柱と接触し、透過照明支柱の傾斜状態に応じて異なる押圧力を加える押圧手段と、を備える。押圧手段は、透過照明支柱に当接して透過照明支柱との間で摩擦力を作用しあうブレーキ部材と、ブレーキ部材を付勢する弾性部材と、を有する。【選択図】図３
2013178377.tif 000002
【特許請求の範囲】
【請求項１】
チルティング機能を有する透過照明支柱を備えた倒立顕微鏡であって、
前記透過照明支柱を回動可能に支持する支持手段と、
前記透過照明支柱の回動中心軸より下方で前記透過照明支柱と接触し、前記透過照明支柱の傾斜状態に応じて異なる押圧力を加える押圧手段と、
を備えたことを特徴とする倒立顕微鏡。
【請求項２】
前記押圧手段は、
前記透過照明支柱に当接して前記透過照明支柱との間で摩擦力を作用しあうブレーキ部材と、
前記ブレーキ部材を付勢する弾性部材と、
を有することを特徴とする請求項１に記載の倒立顕微鏡。
【請求項３】
前記透過照明支柱のうち前記押圧手段と接触する部分は、前記透過照明支柱が延びる方向と平行な断面のうち該透過照明支柱の回動中心軸と直交する断面が円弧状をなし、該円弧の中心は前記回動中心軸よりも前記押圧手段から遠くに位置することを特徴とする請求項１または２に記載の倒立顕微鏡。
【請求項４】
前記押圧力は、前記透過照明支柱が直立した状態である直立状態の近傍から該直立状態へ向けて変化する際に増加することを特徴とする請求項３に記載の倒立顕微鏡。
【請求項５】
前記押圧力は、前記透過照明支柱が最も傾斜した状態である最大傾斜状態の近傍から該最大傾斜状態へ向けて変化する際に増加することを特徴とする請求項３または４に記載の倒立顕微鏡。
【請求項６】
前記透過照明支柱が前記最大傾斜状態よりも傾斜することを防止する傾斜防止手段をさらに備えたことを特徴とする請求項５に記載の倒立顕微鏡。
【請求項７】
前記透過照明支柱のうち前記押圧手段と接触する部分は、前記透過照明支柱が延びる方向と平行な断面のうち該透過照明支柱の回動中心軸と直交する断面が非円弧状をなすことを特徴とする請求項１または２に記載の倒立顕微鏡。
【請求項８】
前記透過照明支柱のうち前記押圧手段と接触する部分は、前記押圧手段との接触面積が前記透過照明支柱の傾斜状態に応じて変化する形状をなすことを特徴とする請求項１または２に記載の倒立顕微鏡。
【請求項９】
前記支持手段は、
前記透過照明支柱を軸支する軸部を有し、
前記押圧手段は、
前記軸部に取り付けられて前記透過照明支柱を付勢する弾性部材を有することを特徴とする請求項１に記載の倒立顕微鏡。
【請求項１０】
前記押圧力は、前記直立状態で最大であることを特徴とする請求項１〜８のいずれか一項に記載の倒立顕微鏡。
【発明の詳細な説明】
【技術分野】
【０００１】
本発明は、透過照明系を備え、観察対象の標本の像を結像する倒立顕微鏡に関する。
【背景技術】
【０００２】
透過照明系を備え、観察対象の標本の像を結像する倒立顕微鏡においては、透過照明を支持する透過照明支柱の周囲にマニピュレータなどの周辺機器が配置される場合がある。この場合、周辺機器が観察者による標本交換の妨げになってしまうことがあった。この問題を解決してスムーズな標本交換を実現するために、従来より透過照明支柱を傾斜させる機能（チルティング機能）を有する倒立顕微鏡が知られている。しかしながら、チルト操作を行って透過照明支柱を傾斜させる際には、透過照明支柱の自重による回転のモーメントが発生し、透過照明支柱が勢いよく倒れて衝撃が標本に伝わってしまうおそれがあった。
【０００３】
このような状況の下、チルティング機能を有する透過照明支柱を備えた倒立顕微鏡において、チルト操作時の衝撃を和らげる技術が知られている（例えば、特許文献１を参照）。図１６は、従来の倒立顕微鏡の構成を示す図である。同図に示す倒立顕微鏡３０１は、標本Ｓｐを載置するステージ３０２と、ステージ３０２を支持する本体部３０３と、本体部３０３の上方に位置し、ステージ３０２に載置された標本Ｓｐに対して透過照明を当てる透過照明部３０４と、本体部３０３の上部に設けられ、透過照明部３０４を回動可能に支持する台座部３０５と、ステージ３０２上の標本Ｓｐからの観察光を集光する対物レンズ３０６と、対物レンズ３０６によって所定の倍率に拡大された標本Ｓｐの像を集光する接眼レンズ３０７とを備える。図１６では、透過照明部３０４が直立した状態を実線で示す一方、透過照明部３０４が最も傾斜した状態を１点鎖線で示している。
【０００４】
図１７は、透過照明部３０４の下端部の構成および台座部３０５の内部構成を示す図である。透過照明部３０４は、下端部が半円筒形状をなしている。透過照明部３０４の下端部には、台座部３０５に回動可能に支持される軸部３０４ａと、頭部が下端面から突出するように下端部に螺合され、透過照明部３０４が最も傾斜した状態において台座部３０５の所定箇所に当接するストッパビス３０４ｂとが設けられている。
【０００５】
台座部３０５は、直方体から該直方体の一つの側面および上面が共通しかつ該直方体よりも小さい直方体をくり抜いた形状をなす。台座部３０５は、底板部３５１と、底板部３５１の互いに対向する端部から底板部３５１の主面と直交する方向に延び、透過照明部３０４の軸部３０４ａを嵌合可能な孔部３５２ａがそれぞれ形成された二つの側板部３５２と、底板部３５１の端部であって側板部３５２が延びる端部と異なる二つの端部のうち一方の端部から底板部３５１の主面と直交する方向に延びるとともに二つの側板部３５２を連結する連結板部３５３と、底板部３５１に設けられて透過照明部３０４の底面を押圧する押圧部３５４と、を有する。
【０００６】
底板部３５１には、板厚方向に貫通して押圧部３５４を保持する貫通孔３５１ａが形成されている。また、底板部３５１の上面端部であって側板部３５２および連結板部３５３が形成されていない上面端部には、板厚方向に切り欠かれた段部３５１ｂが形成されている。貫通孔３５１ａの内周にはねじ山が形成されている。段部３５１ｂの側面には、透過照明部３０４が最も傾斜した状態でストッパビス３０４ｂが当接する。
【０００７】
押圧部３５４は、貫通孔３５１ａに螺合されるビス３５４ａと、ビス３５４ａの上面に設けられ、貫通孔３５１ａの貫通方向に沿って伸縮自在であり、上端が貫通孔３５１ａから延出しているコイルばね３５４ｂと、コイルばね３５４ｂの上端に取り付けられ、透過照明部３０４の底面に当接するブレーキ部材３５４ｃとを有する。
【０００８】
以上の構成を有する倒立顕微鏡３０１において透過照明部３０４を傾斜させると、透過照明部３０４は軸部３０４ａの中心軸Ｏを中心に回動する。このため、押圧部３５４は、回動の際に傾斜角度によらずほぼ一定の押圧力を透過照明部３０４に加え続ける。この押圧力により、傾斜時の透過照明部３０４とブレーキ部材３５４ｃとの間には、ほぼ一定の摺動抵抗が発生し、透過照明部３０４の急激な傾斜角の変化を抑制することができる。これにより、透過照明部３０４を傾斜させる際の衝撃が標本等に加わってしまうのを防止することができる。
【先行技術文献】
【特許文献】
【０００９】
【特許文献１】特開平１０−２６８２０８号公報
【発明の概要】
【発明が解決しようとする課題】
【００１０】
ところで、上述した従来の倒立顕微鏡において、透過照明部のチルト操作を行う際の力量は、主として傾斜する機器の自重によるモーメントと摺動抵抗によって決まる。このうち、モーメントの値は透過照明部の傾斜状態によって変化する。これに対し、上述した従来の倒立顕微鏡の場合、摺動抵抗は、透過照明部の傾斜状態によらずほぼ一定であった。このため、チルト操作時における衝撃防止の効果は十分に得られるものの、傾斜状態によっては必要以上の摺動抵抗が発生することとなり、良好な操作性を有しているとは言いがたかった。
【００１１】
本発明は、上記に鑑みてなされたものであって、チルト操作時における衝撃を防止することができるとともに、良好な操作性を有する倒立顕微鏡を提供することを目的とする。
【課題を解決するための手段】
【００１２】
上述した課題を解決し、目的を達成するために、本発明に係る倒立顕微鏡は、チルティング機能を有する透過照明支柱を備えた倒立顕微鏡であって、前記透過照明支柱を回動可能に支持する支持手段と、前記透過照明支柱の回動中心軸より下方で前記透過照明支柱と接触し、前記透過照明支柱の傾斜状態に応じて異なる押圧力を加える押圧手段と、を備えたことを特徴とする。
【００１３】
また、本発明に係る倒立顕微鏡は、上記発明において、前記押圧手段は、前記透過照明支柱に当接して前記透過照明支柱との間で摩擦力を作用しあうブレーキ部材と、前記ブレーキ部材を付勢する弾性部材と、を有することを特徴とする。
【００１４】
また、本発明に係る倒立顕微鏡は、上記発明において、前記透過照明支柱のうち前記押圧手段と接触する部分は、前記透過照明支柱が延びる方向と平行な断面のうち該透過照明支柱の回動中心軸と直交する断面が円弧状をなし、該円弧の中心は前記回動中心軸よりも前記押圧手段から遠くに位置することを特徴とする。
【００１５】
また、本発明に係る倒立顕微鏡は、上記発明において、前記押圧力は、前記透過照明支柱が直立した状態である直立状態の近傍から該直立状態へ向けて変化する際に増加することを特徴とする。
【００１６】
また、本発明に係る倒立顕微鏡は、上記発明において、前記押圧力は、前記透過照明支柱が最も傾斜した状態である最大傾斜状態の近傍から該最大傾斜状態へ向けて変化する際に増加することを特徴とする。
【００１７】
また、本発明に係る倒立顕微鏡は、上記発明において、前記透過照明支柱が前記最大傾斜状態よりも傾斜することを防止する傾斜防止手段をさらに備えたことを特徴とする。
【００１８】
また、本発明に係る倒立顕微鏡は、上記発明において、前記透過照明支柱のうち前記押圧手段と接触する部分は、前記透過照明支柱が延びる方向と平行な断面のうち該透過照明支柱の回動中心軸と直交する断面が非円弧状をなすことを特徴とする。
【００１９】
また、本発明に係る倒立顕微鏡は、上記発明において、前記透過照明支柱のうち前記押圧手段と接触する部分は、前記押圧手段との接触面積が前記透過照明支柱の傾斜状態に応じて変化する形状をなすことを特徴とする。
【００２０】
また、本発明に係る倒立顕微鏡は、上記発明において、前記支持手段は、前記透過照明支柱を軸支する軸部を有し、前記押圧手段は、前記軸部に取り付けられて前記透過照明支柱を付勢する弾性部材を有することを特徴とする。
【００２１】
また、本発明に係る倒立顕微鏡は、上記発明において、前記押圧力は、前記直立状態で最大であることを特徴とする。
【発明の効果】
【００２２】
本発明によれば、透過照明支柱の回動中心軸より下方で透過照明支柱に加わる押圧力を透過照明支柱の傾斜状態に応じて可変としているため、チルト操作時における衝撃を防止することができるとともに、良好な操作性を有する倒立顕微鏡を得ることができる。
【図面の簡単な説明】
【００２３】
【図１】図１は、本発明の実施の形態１に係る倒立顕微鏡の全体構成および内部構成を模式的に示す図である。
【図２】図２は、本発明の実施の形態１に係る倒立顕微鏡が備える透過照明部を回動させて透過照明支柱を最も傾斜させた状態における外観構成を示す図である。
【図３】図３は、本発明の実施の形態１に係る倒立顕微鏡が直立している場合の透過照明支柱の下端部の構成および台座部の内部構成を示す図である。
【図４】図４は、本発明の実施の形態１に係る倒立顕微鏡が最も傾斜している場合の透過照明支柱の下端部の構成および台座部の内部構成を示す図である。
【図５】図５は、本発明の実施の形態１に係る倒立顕微鏡が備える弾性部材の圧縮量と傾斜角度との関係を示す図である。
【図６】図６は、本発明の実施の形態２に係る倒立顕微鏡が直立している場合の透過照明支柱の下端部の構成および台座部の内部構成を示す図である。
【図７】図７は、本発明の実施の形態２に係る倒立顕微鏡が最も傾斜している場合の透過照明支柱の下端部の構成および台座部の内部構成を示す図である。
【図８】図８は、本発明の実施の形態２に係る倒立顕微鏡が備える弾性部材の圧縮量と傾斜角度との関係を示す図である。
【図９】図９は、本発明の実施の形態２の変形例に係る倒立顕微鏡が備える透過照明部の透過照明支柱の要部の構成を示す断面図である。
【図１０】図１０は、本発明の実施の形態３に係る倒立顕微鏡が備える透過照明部の下端部と台座部の構成を示す図である。
【図１１】図１１は、本発明の実施の形態４に係る倒立顕微鏡が備える透過照明部の下端部と台座部の構成を示す図である。
【図１２】図１２は、本発明の実施の形態５に係る倒立顕微鏡が直立している場合の透過照明支柱の下端部の構成および台座部の内部構成を示す図である。
【図１３】図１３は、本発明の実施の形態５に係る倒立顕微鏡が最も傾斜している場合の透過照明支柱の下端部の構成および台座部の内部構成を示す図である。
【図１４】図１４は、本発明の実施の形態５に係る倒立顕微鏡が備える透過照明部の下端部の構成を示す図である。
【図１５】図１５は、本発明の実施の形態５に係る倒立顕微鏡が備える台座部の構成を示す図である。
【図１６】図１６は、従来の倒立顕微鏡の外観構成を示す図である。
【図１７】図１７は、従来の倒立顕微鏡が備える透過照明支柱の下端部の構成および台座部の内部構成を示す図である。
【発明を実施するための形態】
【００２４】
以下、添付図面を参照して、本発明を実施するための形態（以下、「実施の形態」という）を説明する。なお、以下の説明で参照する図面は模式的なものであって、同じ物体を異なる図面で示す場合には、寸法や縮尺等が異なる場合もある。
【００２５】
（実施の形態１）
図１は、本発明の実施の形態１に係る倒立顕微鏡の全体構成および内部構成を模式的に示す図である。同図に示す倒立顕微鏡１は、標本Ｓｐを載置するステージ２と、ステージ２を支持する本体部３と、本体部３の上方に位置し、ステージ２に載置された標本Ｓｐに対して透過照明を当てる透過照明部４と、本体部３の上部に設けられ、透過照明部４を回動可能に支持する支持手段である台座部５と、を備える。図１では、透過照明部４が直立した状態（以下、直立状態という）を示している。
【００２６】
図２は、透過照明部４を回動させて最も傾斜させた状態（以下、最大傾斜状態という）における倒立顕微鏡１の外観構成を示す図である。最大傾斜状態における透過照明部４の傾斜角（チルティング角）は、標本交換等のための作業空間を確保できる程度の角度であればよく、例えば３０°程度である。
【００２７】
本体部３には、ステージ２の下方に近接して対物レンズ６が取り付けられる。また、本体部３の内部には、対物レンズ６を通過した光を反射する反射ミラー７と、反射ミラー７が反射した光を結像する結像光学系８とが設けられている。結像光学系８の光路上には、結像光学系８が結像した光を集光する接眼レンズ９が本体部３の鏡筒３１に取り付けられる。
【００２８】
透過照明部４は、台座部５に回動可能に取り付けられる透過照明支柱４１と、透過照明支柱４１の上端から透過照明支柱４１が延びる方向と直交する方向に延びるアーム４２と、透過照明支柱４１の上端付近でアーム４２が延びる側と反対側に設けられる光源４３と、透過照明支柱４１の上端付近に取り付けられて光源４３を収容し、光源４３が発生した照明光をアーム４２が延びる方向に沿って出射するランプハウス４４と、ステージ２の上方に位置し、ランプハウス４４から出射された照明光を集光して標本Ｓｐに結像させるコンデンサレンズ４５と、透過照明支柱４１の略中央部に取り付けられてコンデンサレンズ４５を保持するコンデンサユニット４６と、を有する。また、アーム４２の内部には、ランプハウス４４から出射された光を集光するコレクタレンズ４７と、コレクタレンズ４７を通過した光の光量を調節可能な視野絞り４８と、視野絞り４８を通過した光を反射してコンデンサレンズ４５の光軸方向（入射方向と直交する方向）へ折り曲げる反射ミラー４９とが設けられている。
【００２９】
図３および図４は、透過照明支柱４１の下端部の構成および台座部５の内部構成を示す図である。このうち、図３は、透過照明支柱４１が直立状態にある場合を示している。また、図４は、透過照明支柱４１が最大傾斜状態にある場合を示している。
【００３０】
透過照明支柱４１の構成を説明する。透過照明支柱４１は、下端部が半円筒形状をなす柱状部４１１と、柱状部４１１の下端部付近に設けられ、柱状部４１１が延びる方向と直交する中心軸を有し、台座部５に回動可能に支持される軸部４１２と、柱状部４１１の下端面から突出するように柱状部４１１に螺合され、最大傾斜状態において台座部５の所定箇所に当接することによって透過照明支柱４１がさらに傾斜するのを防止する傾斜防止手段であるストッパビス４１３とを有する。柱状部４１１の下端部の半円筒形状の中心軸Ｏ1は、透過照明部４が回動する際の中心軸（回動中心軸）である軸部４１２の中心軸Ｏ2と異なる。
【００３１】
台座部５は、直方体から該直方体の一つの側面および上面が共通しかつ該直方体よりも小さい直方体をくり抜いた形状をなす。台座部５は、底板部５１と、二つの側板部５２と、連結板部５３と、押圧部５４と、当接部材５５とを有する。
【００３２】
側板部５２には、底板部５１の互いに対向する端部から底板部５１の主面と直交する方向に延び、透過照明支柱４１の軸部４１２を嵌合可能な孔部５２１が形成されている。
連結板部５３は、底板部５１の端部であって側板部５２が延びる端部と異なる二つの端部のうち一方の端部から底板部５１の主面と直交する方向に延びるとともに二つの側板部５２を連結する。
押圧部５４は、底板部５１に設けられて透過照明支柱４１の回動中心軸Ｏ2よりも下方で透過照明支柱４１と接触して押圧力を加える。このように、押圧部５４は、押圧手段としての機能を有する。
当接部材５５は、連結板部５３の内側面に設けられ、透過照明支柱４１が正立状態で当接する。
【００３３】
底板部５１の略中央部には、板厚方向に貫通して押圧部５４を保持する貫通孔５１１が形成されている。また、底板部５１の上面端部であって側板部５２および連結板部５３が形成されていない上面端部には、板厚方向に切り欠かれた段部５１２が形成されている。貫通孔５１１の内周にはねじ山が形成されている。図４に示す最大傾斜状態で、段部５１２の側面にはストッパビス４１３が当接する。
【００３４】
押圧部５４は、貫通孔５１１に螺合されるビス５４１と、ビス５４１の上面に設けられ、貫通孔５１１の貫通方向に沿って伸縮自在であり、上端が貫通孔５１１から延出する弾性部材であるコイルばね５４２と、コイルばね５４２の上端に取り付けられ、透過照明支柱４１の底面に当接して透過照明支柱４１との間で摩擦力を作用しあうブレーキ部材５４３とを有する。押圧部５４の押圧力は、ビス５４１の貫通孔５１１への挿入位置で調整される。また、コイルばね５４２の長さは、ブレーキ部材５４３が常に底板部５１との間に隙間を有するように調整される。
【００３５】
ブレーキ部材５４３は樹脂などによって形成されており、透過照明支柱４１との当接面は、柱状部４１１の底面の形状（半円筒の側面）に対応した凹面形状をなしている。透過照明部４を傾斜させる際には、ブレーキ部材５４３と柱状部４１１の底面との間の摩擦力が摺動抵抗となる。この摺動抵抗は、透過照明支柱４１とその周辺機器を回転させる際にその回転を妨げる方向へ作用する。
【００３６】
図５は、コイルばね５４２の圧縮量と傾斜角度との関係を示す図である。図５に示すように、コイルばね５４２は正立状態で最も圧縮された状態であり、最大傾斜状態で最も伸びた状態である。したがって、押圧部５４が透過照明支柱４１に加える押圧力は、正立状態で最大であり、最大傾斜状態で最小である。また、正立状態近傍から正立状態へ変化する際に押圧力は増加することとなる。
【００３７】
以上の構成を有する倒立顕微鏡１によれば、透過照明支柱４１の回転中心と透過照明支柱４１の底部の形状の幾何学的中心とが異なっており、正立時に押圧部５４による押圧が最も大きい（摺動抵抗が最も大きい）構成を有しているため、透過照明支柱４１を傾斜させていくにしたがって押圧部５４による押圧力が小さくなり、摺動抵抗も減少する。この結果、自重による回転モーメントが大きい正立状態において摺動抵抗が最大となり、安定した状態を維持することができる。また、傾斜時に摺動抵抗が徐々に減少するため、操作性に優れている。
【００３８】
以上説明した本発明の実施の形態１によれば、透過照明支柱の回動中心軸より下方で透過照明支柱に加わる押圧力を透過照明支柱の傾斜状態に応じて可変としているため、チルト操作時における衝撃を防止することができるとともに、良好な操作性を有する倒立顕微鏡を得ることができる。
【００３９】
また、本実施の形態１によれば、正立状態で押圧部による押圧力が最大となるため、自重による回転モーメントが大きい正立状態で安定した状態を維持することができる。
【００４０】
なお、本実施の形態１において、複数の貫通孔の各々にビスを螺合するとともにコイルばねを設置し、それらのコイルばねによって上下動する一または複数のブレーキ部材を設けることによって押圧部を構成することも可能である。
【００４１】
また、本実施の形態１において、透過照明支柱のうちブレーキ部材と接触する部分は、透過照明支柱が延びる方向の平行な断面のうち該透過照明支柱の回動中心軸と直交する断面が円弧状をなしており、この円弧の中心が回動中心軸よりもブレーキ部材から遠くに位置していればよい。すなわち、本実施の形態１において、透過照明支柱の下端部の形状が半円筒形である必要はない。
【００４２】
（実施の形態２）
本発明の実施の形態２に係る倒立顕微鏡は、台座部の構成が実施の形態１と異なっている。図６および図７は、本実施の形態２に係る倒立顕微鏡１０が有する支持手段としての台座部の構成を示す図である。このうち、図６は、透過照明支柱４１が直立状態にある場合を示している。また、図７は、透過照明支柱４１が最大傾斜状態にある場合を示している。
【００４３】
図６および図７に示す台座部１１は、直方体から該直方体の一つの側面および上面が共通しかつ該直方体よりも小さい直方体をくり抜いた形状をなす。台座部１１は、底板部１１１と、底板部１１１の互いに対向する端部から底板部１１１の主面と直交する方向に延び、透過照明部４の柱状部４１１が有する軸部４１２を嵌合可能な孔部（図示せず）がそれぞれ形成された二つの側板部１１２と、底板部１１１の端部であって側板部１１２が延びる端部と直交する方向に延びるとともに二つの側板部１１２を連結する連結板部１１３と、底板部１１１に設けられて透過照明支柱４１の回動中心軸Ｏ2よりも下方で透過照明支柱４１と接触して押圧力を加える押圧手段である押圧部１１４と、連結板部１１３の内側面に設けられ、透過照明支柱４１が正立状態で当接する当接部材１１５と、を有する。
【００４４】
底板部１１１のうち連結板部１１３の近傍には、板厚方向に貫通して押圧部１１４を保持する貫通孔１１６が形成されている。また、底板部１１１の上面端部であって側板部１１２および連結板部１１３が形成されていない上面端部には、板厚方向に切り欠かれた段部１１７が形成されている。貫通孔１１６の内周にはねじ山が形成されている。図７に示す最大傾斜状態で、段部１１７の側面にはストッパビス４１３が当接する。
【００４５】
押圧部１１４は、貫通孔１１６に螺合されるビス１１８と、ビス１１８の上面に設けられ、貫通孔１１６の貫通方向に沿って伸縮自在であり、上端が貫通孔１１６から延出する弾性部材であるコイルばね１１９と、コイルばね１１９の上端に取り付けられ、透過照明支柱４１の底面に当接して透過照明支柱４１との間で摩擦力を作用しあうブレーキ部材１２０とを有する。押圧部１１４の押圧力は、ビス１１８の貫通孔１１６への挿入位置で調整される。また、コイルばね１１９の長さは、ブレーキ部材１２０が常に底板部１１１との間に隙間を有するように調整される。
【００４６】
ブレーキ部材１２０は樹脂などによって形成されており、透過照明支柱４１との当接面は、柱状部４１１の底面の形状（半円筒の側面）に対応した凹面形状をなしている。透過照明部４を傾斜させる際には、ブレーキ部材１２０と柱状部４１１の底面との間の摩擦力が摺動抵抗となる。この摺動抵抗は、透過照明支柱４１とその周辺機器を回転させる際にその回転を妨げる方向へ作用する。
【００４７】
図８は、コイルばね１１９の圧縮量と傾斜角度との関係を示す図である。図８に示すように、コイルばね１１９は正立状態および最大傾斜状態で最も圧縮された状態にある。したがって、押圧部１１４が透過照明支柱４１に加える押圧力は、正立状態および最大傾斜状態で最大である。これに対して、最大傾斜状態における傾斜角（最大傾斜角）の半分の傾斜角では、コイルばね１１９が最も圧縮されない状態にある。したがって、この場合に押圧部１１４が透過照明支柱４１に加える押圧力は最小となる。また、正立状態近傍から正立状態へ変化する際、および最大傾斜状態近傍から最大傾斜状態へ変化する際、押圧力はそれぞれ増加することとなる。
【００４８】
以上説明した本発明の実施の形態２によれば、透過照明支柱の回動中心軸より下方で透過照明支柱に加わる押圧力を透過照明支柱の傾斜状態に応じて可変としているため、チルト操作時における衝撃を防止することができるとともに、良好な操作性を有する倒立顕微鏡を得ることができる。
【００４９】
また、本実施の形態２によれば、正立状態および最大傾斜状態で押圧部による押圧力が最大となるため、正立状態で安定した状態を維持することができる一方、最大傾斜状態に達する直前でのブレーキ効果を大きくし、チルト操作時における衝撃を一段と確実に防止することができる。加えて、正立状態と最大傾斜状態との中間状態で摺動抵抗が小さいので、一段と良好な操作性を得ることができる。
【００５０】
なお、本実施の形態２において、正立状態と最大傾斜状態におけるコイルばねの圧縮量が異なっていてもよいが、正立状態近傍から正立状態へ変化する場合と、最大傾斜状態の近傍から最大傾斜状態へ変化する場合には、コイルばねの圧縮量が増加するように設定されることが望ましい。
【００５１】
また、本実施の形態２においても、透過照明支柱のうちブレーキ部材と接触する部分は、透過照明支柱が延びる方向の平行な断面のうち該透過照明支柱の回動中心軸と直交する段面が円弧状をなしており、この円弧の中心が回動中心軸よりもブレーキ部材から遠くに位置していればよい。
【００５２】
図９は、本実施の形態２の変形例に係る倒立顕微鏡が備える透過照明部の透過照明支柱の要部の構成を示す断面図である。この断面図は、図６に示す断面と直交しかつ透過照明支柱が延びる方向と平行な切断面であって透過照明支柱軸部の中心軸を通過する切断面で切断した断面図である。図９に示す透過照明支柱４１ａは、柱状部４１１ａの下端部４１１ａｂが、下端へ向けて徐々に幅が小さくなるテーパ形状をなしている。
【００５３】
このような本実施の形態２の変形例によれば、透過照明支柱４１ａの正立状態で接触面積が最大であり、正立状態から最大傾斜状態へ遷移する間に、ブレーキ部材１２０との接触面積が徐々に小さくなっていくため、チルト操作時の良好な操作性を得ることができる。
【００５４】
（実施の形態３）
本発明の実施の形態３は、上述した実施の形態２と透過照明支柱の構成が異なる。図１０は、本発明の実施の形態３に係る倒立顕微鏡が備える透過照明部の下端部と支持手段としての台座部の構成を示す図である。図１０は、本実施の形態３に係る倒立顕微鏡１ｂが正立状態にある場合を示している。なお、透過照明部４ｂの透過照明支柱４１ｂ以外の倒立顕微鏡１ｂの構成は、実施の形態２で説明した倒立顕微鏡１０の構成と同じである。
【００５５】
図１０に示す透過照明支柱４１ｂは、柱状部４１１ｂと、台座部１１に回動可能に支持される軸部４１２ｂと、ストッパビス４１３ｂ（傾斜防止手段）とを有する。柱状部４１１ｂは、台座部１１が有する押圧部１１４のブレーキ部材１２０に当接する当接面４１４の断面であって透過照明支柱４１ｂが延びる方向と平行であるとともに軸部４１２ｂの中心軸と直交する断面が非円弧状の曲面をなしている。この当接面４１４は、図１０に示す正立状態で押圧部１１４からの押圧力が最大となるような形状をなしている。このように、当接面４１４は、ブレーキ部材１２０に対してカムとして機能する。
【００５６】
以上説明した本発明の実施の形態３によれば、上述した実施の形態と同様、チルト操作時における衝撃を防止することができるとともに、良好な操作性を有する倒立顕微鏡を得ることができる。
【００５７】
また、本実施の形態３によれば、ブレーキ部材と接触する端面の形状を非円弧状とすることにより、コイルばねの変位と傾斜角度との関係をより高い自由度で設定することが可能となる。
【００５８】
（実施の形態４）
本発明の実施の形態４は、上述した実施の形態２と透過照明部の透過照明支柱の構成および台座部が有する押圧部のブレーキ部材の構成が異なる。図１１は、本発明の実施の形態４に係る倒立顕微鏡が備える透過照明部の下端部と支持手段としての台座部の構成を示す図である。図１１は、本実施の形態４に係る倒立顕微鏡１ｃが正立状態にある場合を示している。
【００５９】
透過照明支柱４１ｃは、柱状部４１１ｃと、台座部１２に回動可能に支持される軸部４１２ｃと、ストッパビス４１３ｃ（傾斜防止手段）とを有する。柱状部４１１ｃは、台座部１２が有する押圧部１２１のブレーキ部材１２２に当接する当接面４１４ｃの一部が切り欠かれて平面形状をなしている。ブレーキ部材１２２の当接面も平面状をなしており、図１１に示す正立状態で、柱状部４１１ｃとブレーキ部材１２２は面接触している。
【００６０】
この後、透過照明支柱４１１を傾斜させると、ブレーキ部材１２２は、柱状部４１１ｃの円弧状部分と線接触するようになり、透過照明支柱４１１に加える押圧力が減少する。この結果、自重による回転モーメントが大きい正立状態において摺動抵抗が最大となる。
【００６１】
以上説明した本発明の実施の形態４によれば、上述した実施の形態と同様、チルト操作時における衝撃を防止することができるとともに、良好な操作性を有する倒立顕微鏡を得ることができる。
【００６２】
（実施の形態５）
本発明の実施の形態５に係る倒立顕微鏡は、透過照明支柱および台座部の構成が上述した実施の形態と異なる。図１２および図１３は、本実施の形態５に係る倒立顕微鏡２０が有する透過照明支柱および支持手段としての台座部の内部の構成を示す図である。このうち、図１２は、透過照明支柱が直立状態にある場合の図である。また、図１３は、透過照明支柱が最大傾斜状態にある場合の図である。
【００６３】
倒立顕微鏡２０は、実施の形態１で説明した倒立顕微鏡１と同じステージ２および本体部３を有する。また、倒立顕微鏡２０は、ステージ２に載置された標本Ｓｐに対して透過照明を照射する透過照明部２１と、本体部３の上部に設けられ、透過照明部２１を回動可能に支持する台座部２２と、を備える。
【００６４】
図１４は、透過照明部２１の下端部の構成を示す図であり、図１２の矢視Ａ方向の矢視図である。図１５は、台座部２２の構成を示す図であり、台座部２２に透過照明部２１を取り付けていない状態を示す図である。以下、図１２〜図１５を参照して倒立顕微鏡２０の構成を詳細に説明する。
【００６５】
透過照明部２１は、台座部２２に回動可能に取り付けられる透過照明支柱２１１を有する。また、透過照明支柱２１１は、実施の形態１で説明した透過照明部４と同様、透過照明支柱２１１以外にアーム４２、光源４３、ランプハウス４４、コンデンサレンズ４５、コンデンサユニット４６、コレクタレンズ４７、視野絞り４８、および反射ミラー４９を有する。
【００６６】
透過照明支柱２１１は、柱状部２１２と、柱状部２１２の下端面から突出するように設けられ、最大傾斜状態において台座部２２に当接することによって最大傾斜状態を維持するストッパビス２１３（傾斜防止手段）と、を有する。
【００６７】
透過照明支柱２１１の下端部には、台座部２２が有する円柱状の軸部２２４（後述）の軸方向における異なる端部側をそれぞれ貫通する二つの貫通孔２１４ａ、２１４ｂと、貫通孔２１４ａ、２１４ｂの中間部に設けられ、透過照明支柱２１１の表面から凹状に穿設され、軸部２２４に一部が巻き付いた態様で固定される弾性部材としての板ばね２２５（後述）が圧入される凹部２１５とが形成されている。
【００６８】
台座部２２は、直方体から該直方体の一つの側面および上面が共通しかつ該直方体よりも小さい直方体をくり抜いた形状をなす。台座部２２は、底板部２２１と、二つの側板部２２２と、連結板部２２３と、軸部２２４と、板ばね２２５と、固定部材２２６と、当接部材２２７とを有する。
【００６９】
側板部２２２は、底板部２２１の主面の互いに対向する端部から底板部２２１の主面と直交する方向に延びる。
連結板部２２３は、底板部２２１の端部であって側板部２２２が延びる端部と異なる二つの端部のうち一方の端部から底板部２２１の主面と直交する方向に延びるとともに二つの側板部２２２を連結する。
軸部２２４は、二つの側板部２２２に両端部がそれぞれ取り付けられるとともに透過照明支柱２１１を貫通し、透過照明部２１の回動中心軸と一致する中心軸を有する円柱状をなす。
板ばね２２５は、軸部２２４の中央部に外周を囲むように配置され、柱状部２１２の内部に圧入されて柱状部２１２を付勢する弾性部材である。
固定部材２２６は、板ばね２２５の一部を軸部２２４に対して固定する。
当接部材２２７は、連結板部２２３の内側面に設けられ、透過照明支柱２１１が正立状態で当接する。
【００７０】
底板部２２１の上面端部であって側板部２２２および連結板部２２３が形成されていない上面端部には、板厚方向に切り欠かれた段部２２８が形成されている。
【００７１】
板ばね２２５は、図１５に示すように、中央部が軸部２２４に巻き付いた態様で固定部材２２６によって軸部２２４に固定される一方、軸部２２４に巻き付く方向の両端部は自由な状態になっている。この両端部間の距離は、板ばね２２５が圧入される柱状部２１２の凹部２１５の内側壁間の幅（横幅）よりも狭い。このため、板ばね２２５が柱状部２１２に圧入されると、少なくとも一方の端部は凹部２１５の内側壁に沿って変形し、柱状部２１２を押圧する。図１２に示す正立状態では、板ばね２２５の端部のうち上端部のみが変形しており、柱状部２１２に対して傾斜する方向（図１２で反時計回りの方向）へ押圧力を加えている。一方、図１３に示す最大傾斜状態では、板ばね２２５の端部のうち下端部のみが変形しており、柱状部２１２に対して正立状態へ戻る方向（図１３で時計回りの方向）へ押圧力を加えている。このような板ばね２２５は、押圧手段の少なくとも一部の機能を有する。
【００７２】
最大傾斜状態から正立状態へ移行するために、透過照明支柱２１１を図１３で時計回りに回動させ始めると、板ばね２２５による押圧力が補助的に作用することとなる。このため、ユーザは、少ない力量で回動動作を行うことができる。正立状態と最大傾斜状態の中間状態では、板ばね２２５は両端部が変形する。また、正立状態に達する前には、板ばね２２５の上端部が変形し始めるため、終点付近で透過照明支柱２１１の速度を落として静かに終点に到達させることができる。このように、動作開始点付近または終点付近において、ユーザは少ない力量で動作を開始または終了させることができる。
【００７３】
以上説明した本発明の実施の形態５によれば、上述した実施の形態と同様、チルト操作時における衝撃を防止することができるとともに、良好な操作性を有する倒立顕微鏡を得ることができる。
【００７４】
また、本実施の形態５によれば、正立状態および最大傾斜状態で押圧部による押圧力が最大となるため、正立状態で安定した状態を維持することができる一方、最大傾斜状態に達する直前でのブレーキ効果を大きくし、チルト操作時における衝撃を一段と確実に防止することができる。
【００７５】
ここまで、本発明を実施するための形態を説明してきたが、本発明は上述した実施の形態によってのみ限定されるべきものではない。すなわち、本発明は、ここでは記載していない様々な実施の形態等を含み得るものである。
【符号の説明】
【００７６】
１、１ｂ、１ｃ、１０、２０、３０１  倒立顕微鏡
２、３０２  ステージ
３、３０３  本体部
４、４ａ、４ｂ、２１、３０４  透過照明部
５、１１、２２、３０５  台座部
６、３０６  対物レンズ
７  反射ミラー
８  結像光学系
９、３０７  接眼レンズ
４１、４１ａ、４１ｂ、４１ｃ、２１１  透過照明支柱
４２  アーム
４３  光源
４４  ランプハウス
４５  コンデンサレンズ
４６  コンデンサユニット
４７  コレクタレンズ
４８  視野絞り
４９  反射ミラー
５１、１１１、２２１  底板部
５２、１１２、２２２  側板部
５３、１１３、２２３  連結板部
５４、１１４、１２１  押圧部
５５、１１５  当接部材
１１６、５１１  貫通孔
１１７、２２８、３５１ｂ、５１２  段部
１１８、３５４ａ、５４１  ビス
１１９、３５４ｂ、５４２  コイルばね
１２０、３５４ｃ、５４３  ブレーキ部材
２１２、４１１、４１１ａ、４１１ｂ、４１１ｃ  柱状部
２１３、４１３、４１３ｂ、４１３ｃ  ストッパビス
２１４ａ、２１４ｂ  貫通孔
２１５  凹部
２２４、４１２、４１２ｂ  軸部
２２５  板ばね
２２６  固定部材
２２７  当接部材
４１１ａｂ  下端部
４１４  当接面
【図１】
2013178377.tif 000003
【図２】
2013178377.tif 000004
【図３】
2013178377.tif 000005
【図４】
2013178377.tif 000006
【図５】
2013178377.tif 000007
【図６】
2013178377.tif 000008
【図７】
2013178377.tif 000009
【図８】
2013178377.tif 000010
【図９】
2013178377.tif 000011
【図１０】
2013178377.tif 000012
【図１１】
2013178377.tif 000013
【図１２】
2013178377.tif 000014
【図１３】
2013178377.tif 000015
【図１４】
2013178377.tif 000016
【図１５】
2013178377.tif 000017
【図１６】
2013178377.tif 000018
【図１７】
2013178377.tif 000019